(57)【要約】      （修正有）【課題】簡単な構成で形状の制限を無くすことで外観デザインの自由度を効果的に高めることができ、かつ、接着テープを綺麗な状態で切り取ることができるテープカッターを提供する。【解決手段】テープカッターのテープ切断部２０は、押し当てられた接着テープ１１を切断する切断刃３１と、切断刃３１で切断された接着テープ１１が貼付される貼付部４１ａと、接着テープ１１の切断された先端部１２を切断刃３１から離間させる方に付勢する付勢部材４０とを備える。次回テープカッターを使用する際に、切断刃３１から離間している接着テープ１１の先端部１２を指で摘んで引き出すことができる。したがって、従来のテープカッターのように、接着テープの側方（幅方向の一方）から下面側に指を入れて、接着テープの粘着面を持ち上げることで接着テープを切断刃から剥がす動作を行う必要が無い。【選択図】図８
2016034874.tif 000002
【特許請求の範囲】
【請求項１】
接着テープを巻回してなるロール状の巻テープを回転自在に保持するテープ保持部と、前記テープ保持部に保持された巻テープから剥離されて引き出された接着テープを切断するテープ切断部とを備えるテープカッターであって、
前記テープ切断部は、押し当てられた接着テープを切断する切断刃と、前記切断刃で切断された接着テープが貼付される貼付部と、前記接着テープの切断された先端部を前記切断刃から離間させる方に付勢する付勢部材と、を備える
ことを特徴とするテープカッター。
【請求項２】
前記付勢部材は、弾性を有する合成樹脂製の弾性片を含む
ことを特徴とする請求項１に記載のテープカッター。
【請求項３】
前記弾性片は、前記貼付部と前記切断刃との間の位置で前記切断刃から離間する方に向かって湾曲する湾曲形状に形成されている
ことを特徴とする請求項２に記載のテープカッター。
【請求項４】
前記弾性片は、前記接着テープが前記切断刃に当接した状態で前記貼付部と前記切断刃との間の前記接着テープによって押されて弾性変形した状態となり、
前記接着テープが前記切断刃で切断された際に弾性で元の形状に復帰することで、前記接着テープの前記先端部を前記切断刃から離間させる
ことを特徴とする請求項２又は３に記載のテープカッター。
【発明の詳細な説明】
【技術分野】
【０００１】
本発明は、接着テープを巻回してなる巻テープを回転自在に保持するテープ保持部と、テープ保持部に保持された巻テープから剥離されて引き出された接着テープを切断するテープ切断部とを備えるテープカッターに関する。
【背景技術】
【０００２】
従来、一般的なテープカッターは、テープ切断刃を設けたカッター本体（本体部）に、ロール状の接着テープ（巻テープ）を装填する回転リールを軸支する構造になっている。このようなテープカッターでは、本体部の後方に巻テープを保持するテープ保持部が設けられており、本体部の前端に巻テープから引き出した接着テープを切断するための切断部が設けられている。
【０００３】
切断刃で切断された接着テープの先端は、切断刃及びその手前側に設けた平らな部分（接着テープを貼付させるための貼付部）に貼り付いた状態となる。そして、次回接着テープを使用する際には、巻テープから切断刃まで延伸している接着テープの側方（幅方向の一方）から下面側に指を入れて、接着テープの粘着面を持ち上げることで、接着テープを貼付部及び切断刃から剥がす動作を行うようにしている。
【０００４】
そのため、従来のテープカッターでは、テープ保持部に保持された巻テープとテープ切断部に貼付された接着テープの先端との間に渡された接着テープの少なくとも一方の側部に、接着テープの下面側に指を入れるための空きスペースを確保しておく必要があった。これにより、従来のテープカッターは、テープ保持部とテープ切断部との間の側面が略Ｕ字型に切り欠かれた形状が一般的であり、その他、特殊な形状で接着テープの両側を塞いだ形状のものであっても、接着テープの下側に指を入れるための形状を別途に設ける必要があった。このような機能上の理由から、テープカッターの形状（特に、テープ保持部とテープ切断部との間の部分の形状）に制限が生じてしまい、それによってテープカッターの外観デザインの自由度を高めることができない、という問題があった。
【０００５】
また、上記のような従来のテープカッターでは、接着テープの先端（切断部）から比較的に離れた位置の接着面を指で持ち上げるため、その部分に指紋などの跡が付いてしまい、接着テープを綺麗な状態で切断することができない、という問題もある。このような理由から、特に透明な部分に接着テープを使用する場合などには、指紋などの跡が付いた接着テープを使用することで見栄えが悪くなるなどの問題がある。
【先行技術文献】
【特許文献】
【０００６】
【特許文献１】特開２００３−８９４６６号公報
【発明の概要】
【発明が解決しようとする課題】
【０００７】
本発明は上述の点に鑑みてなされたものであり、その目的は、簡単な構成で、形状の制限を無くすことで外観デザインの自由度を効果的に高めることができ、かつ、接着テープを綺麗な状態で切り取ることができるテープカッターを提供することにある。
【課題を解決するための手段】
【０００８】
上記課題を解決するため、本発明にかかるテープカッターは、接着テープ（１１）を巻回してなるロール状の巻テープ（１０）を回転自在に保持するテープ保持部（５０）と、テープ保持部（５０）に保持された巻テープ（１０）から剥離されて引き出された接着テープ（１１）を切断するテープ切断部（２０）とを備えるテープカッター（１）であって、テープ切断部（２０）は、押し当てられた接着テープ（１１）を切断する切断刃（３１）と、切断刃（３１）で切断された接着テープ（１１）が貼付される貼付部（４１ａ）と、接着テープ（１１）の切断された先端部（１２）を切断刃（３１）から離間させる方に付勢する付勢部材（４０）と、を備えることを特徴とする。
【０００９】
本発明にかかるテープカッターでは、接着テープの切断された先端部を切断刃から離間させる方に付勢する付勢部材を備えることで、切断された接着テープの先端部が切断刃から離間した状態となる。これにより、次回テープカッターを使用する際に、切断刃から離間している接着テープの先端部を指で摘んで引き出すことができる。したがって、従来のテープカッターのように、接着テープの側方（幅方向の一方）から下面側に指を入れて、接着テープの粘着面を持ち上げることで接着テープを切断刃から剥がす動作を行う必要が無い。これにより、テープ保持部とテープ切断部との間に渡された接着テープの側部に指を入れるための空きスペースを確保しておかなくても良くなる。したがって、テープカッターの形状に制限が無くなることで、テープカッターの外観デザインの自由度を効果的に高めることができる。
【００１０】
また、本発明にかかるテープカッターでは、上記のように接着テープの先端部を指で摘んで引き出すことができるので、接着テープの先端（切断部）から離れた位置の接着面に指紋などの跡が付いてしまうことを防止でき、接着テープを綺麗な状態で切断することが可能となる。したがって、透明な部分などに接着テープを使用する場合でも、指紋などの跡が付いていない綺麗な接着テープを使用することができるので、接着テープを使用する箇所の見栄えを良くすることができる。
【００１１】
また、上記のテープカッターでは、付勢部材（４０）は、弾性を有する合成樹脂製の弾性片（４５）を含むとよい。この構成によれば、簡単かつ安価な構成で、接着テープの切断された先端部を切断刃から離間させる方に付勢することが確実に行えるようになる。
【００１２】
また、上記のテープカッターでは、弾性片（４５）は、貼付部（４１ａ）と切断刃（３１）との間の位置で切断刃（３１）から離間する方に向かって湾曲する湾曲形状に形成されているとよい。この構成によれば、接着テープの切断された先端部を切断刃から離間させる方に付勢することがより確実に行えるようになる。
【００１３】
また、上記のテープカッターでは、弾性片（４５）は、接着テープ（１１）が切断刃（３１）に当接した状態で貼付部（４１ａ）と切断刃（３１）との間の接着テープ（１１）によって押されて弾性変形した状態となり、接着テープ（１１）が切断刃（３１）で切断された際に弾性で元の形状に復帰することで、接着テープ（１１）の先端部（１２）を切断刃（３１）から離間させるようにしてよい。
【００１４】
この構成によれば、接着テープを切断刃で切断する動作をするだけで、弾性片の弾性力を発揮させて切断された接着テープの先端部を切断刃から離間させることが可能となる。したがって、毎回接着テープを切断するたびに接着テープの先端部を切断刃から離間させて、次回使用する際に接着テープの先端部を指で摘むことができる状態にすることができる。
【００１５】
なお、上記の括弧内の符号は、後述する実施形態における構成要素の符号を本発明の一例として示したものである。
【発明の効果】
【００１６】
本発明にかかるテープカッターによれば、簡単な構成で、形状の制限を無くすことで外観デザインの自由度を効果的に高めることができ、かつ、接着テープを綺麗な状態で切り取ることができる。
【図面の簡単な説明】
【００１７】
【図１】本発明の一実施形態にかかるテープカッターを示す斜視図である。
【図２】テープカッターの分解斜視図である。
【図３】テープカッターの左側板を取り外した状態を示す図である。
【図４】接着テープを引き出して切断する際の手順を説明するための図である。
【図５】接着テープを引き出して切断する際の手順を説明するための図である。
【図６】接着テープを引き出して切断する際の手順を説明するための図である。
【図７】接着テープを引き出して切断する際の手順を説明するための図である。
【図８】接着テープを引き出して切断する際の手順を説明するための図である。
【発明を実施するための形態】
【００１８】
以下、添付図面を参照して本発明の実施形態を詳細に説明する。図１は、本発明の一実施形態にかかるテープカッターを示す斜視図である。また、図２は、テープカッターの分解斜視図である。図３は、テープカッターの左側板を取り外した状態を示す図である。これらの図に示すように、本実施形態のテープカッター１は、一対の側板（左側板、右側板）２，３を備えており、これら左右側板２，３の間に接着剤（粘着材）が塗布された接着テープ１１を巻回してなるロール状の接着テープ本体（以下、「巻テープ」という。）１０を保持するテープ保持部５０と、巻テープ１０から引き出された接着テープ１１を切断するテープ切断部２０とを備えた構成である。なお、以下の説明では、テープカッター１におけるテープ切断部２０の側とテープ保持部５０の側をそれぞれ前側と後側といい、左側板２の側と右側板３の側をそれぞれ左側と右側という。側板２，３は、ＡＢＳ樹脂やアクリル樹脂など合成樹脂製の成型品とすることができる。また、それ以外にも、側板２，３を金属製の板材などで構成してもよい。
【００１９】
右側板３の内面３ａには、左側板２に向かって突出する略円筒状の突起からなる軸部４，５が一体に形成されている。軸部４，５は、テープカッター１の前後方向に沿って２本が設けられている。一方、左側板２の内面２ａにおける軸部４，５に対応する位置には、軸部４，５の先端に設けた小孔４ａ，５ａに嵌合する軸状の小突起６，７が形成されている。２本の軸部４，５を円形環状の巻テープ１０に挿通させることで、巻テープ１０を回転自在に保持するように構成している。したがって、２本の軸部４，５によって巻テープ１０を保持するテープ保持部５０が構成されている。
【００２０】
なお、本実施形態のテープカッター１では、右側板３の形状として、人が寝そべっている状態を模した形状とし、左側板２の形状として、人が座って手を前方に伸ばしている状態を模した形状としている。これらの形状は、後述するようにテープ保持部５０とテープ切断部２０との間に渡された接着テープ１１の側部に空きスペースを設けない形状の一例として示したものである。したがって、本発明にかかるテープカッター１に用いる側板の形状としては、これら左右側板２，３の具体的な形状はあくまでも一例であって、他の任意の形状とすることが可能である。
【００２１】
左右側板２，３の間の前端側に設けたテープ切断部２０は、右側板３の内面３ａに設けられて左側板２に向かって突出する突出片からなる支持部２１と、支持部２１における後側の位置（テープ保持部５０に近い位置）に取り付けられた付勢部材４０と、支持部２１における前側の位置（テープ保持部５０から遠い位置）に載置した切断刃３１を有する切断具３０とを備えて構成されている。切断具３０は、左右側板２，３と同じ材料で形成されていてよい。
【００２２】
支持部２１は、底片２２と側片２３とを有して横から見た断面が略Ｌ字型の部分であって、略Ｌ字型の形状がテープカッター１の後側から前側に向かって下方に若干傾斜している。またこの支持部２１は、右側板３から左側板２に向かって直線状に延伸している。そして、支持部２１の底片２２の上には、略長方形状の切断具３０が載置されている。切断具３０は、底片２２上で右側板３から左側板２まで延伸する断面が略正方形の棒状に形成されており、その左右の端面には、円形の小孔３２，３３が設けられている。これら円形の小孔３２，３３には、左右側板２，３の内面２ａ，３ａにそれぞれ設けた円柱状の小突起２５，２６が嵌合するようになっている。
【００２３】
切断具３０の前側上部で長手方向に延びる角部には、突起状の切断刃３１が形成されている。切断刃３１は、切断具３０を支持具の底片２２上に載置した状態で、テープカッター１の前端部に上向きに配置されるようになっている。接着テープ１１の接着面（下面）１１ａをこの切断刃３１に押し当てることで、その位置で接着テープ１１を切断することができる。
【００２４】
そして、支持部２１の側片２３の上端には、切断刃３１で切断された接着テープ１１の先端部（切断部）１２を上方に向かって付勢するための付勢部材４０が取り付けられている。付勢部材４０は、可撓性（弾性）を有するポリアセタール（ＰＯＭ）などの合成樹脂材からなる一体成型品で、側片２３の上端部２３ａに取り付けられる取付部４１と、取付部４１の前側の側面から前側上方に向かって延伸する弾性片４５とを一体に備えた構成である。取付部４１は、側片２３の上端部２３ａに設けた断面が略正方形状の部分を囲む断面形状に形成された部分である。また、弾性片４５は、取付部４１の前側の側面から断面が上向き略半円弧状に湾曲しており、その先端辺（上端辺）４５ａが取付部４１の前側で上方を向いて配置されている。
【００２５】
この付勢部材４０は、支持部２１の側片２３の上端部２３ａに取付部４１を取り付けた状態で、取付部４１の上面が巻テープ１０から引き出された接着テープ１１を貼付させるための貼付部４１ａになっている。また、弾性片４５の上端部（先端部）４５ａ側が取付部４１に対して上下方向に撓むように構成されている。したがって、弾性片４５の先端辺４５ａに接着テープ１１の接着面１１ａが当接して下方に力が加わると、その力で弾性片４５が下方に向かって撓む。そして、接着テープ１１にかかる下向きの力が解除されると、弾性片４５はその弾性力で上方の元の位置（元の形状）に復帰する。これにより、接着テープ１１の切断された先端部１２を上方に押し上げて切断刃３１から離間させることができる。
【００２６】
付勢部材４０及び弾性片４５は、接着テープ１１を切断する際には、接着テープ１１で押されることで接着テープ１１が切断刃３１に当接する程度に撓むだけの可撓性を有すると共に、接着テープ１１が切断されたときにその先端部１２を切断刃３１から離間させるための十分な弾性力を有することが必要である。そのため、付勢部材４０及び弾性片４５の材料は、そのような点を満たすための可撓性及び弾性を有する材料とする。このような材料として、上記実施形態に示したポリアセタール（ＰＯＭ）が望ましいが、それ以外にも、ポリアセタールと同程度の可撓性及び弾性を有する合成樹脂材料であれば、他の合成樹脂材料でもよい。さらに、可撓性及び弾性を有する材料であれば、必ずしも合成樹脂材料に限らず、それ以外にも例えば、いわゆるばね鋼と呼ばれる鋼材なども材料の候補として考えられる。
【００２７】
上記の構成部品を備えたテープカッター１を組み立てるには、まず、図２及び図３に示すように、右側板３の支持部２１の底片２２に切断具３０を載置し、支持部２１の側片２３の上端部２３ａに付勢部材４０を取り付ける。付勢部材４０は、取付部４１を側片２３の上端部２３ａに左側板２側から差し込んで右側板３側へスライドさせて取り付ける。この状態で、２本の軸部４，５を巻テープ１０に挿通して、左側板２の小突起６，７を軸部４，５の小孔４ａ，５ａに嵌合し、かつ小突起２５を切断具３０の小孔３２に嵌合することで、左側板２を取り付ける。以上により、テープカッター１の組み立てが完了する。図３は、組み立てた状態のテープカッター１を示す図である。
【００２８】
次に、テープカッター１を使用する手順について説明する。図４乃至図８は、テープカッター１の使用状態を説明するための図である。テープカッター１を使用して接着テープ１１を切断するには、図４に示すように、巻テープ１０から剥離させた接着テープ１１を指Ｆで摘んで引き出す。このとき、引き出した接着テープ１１が所望の長さ寸法になったら、その時点で、図５に示すように、接着テープ１１の接着面（下面）１１ａを貼付部４１ａに押し当てて貼付する。そこからさらに、図６に示すように、接着面１１ａが切断刃３１に当接する位置まで接着テープ１１の先端側を下方に移動させる。
【００２９】
このとき、本実施形態のテープカッター１では、貼付部４１ａと切断刃３１との間の接着テープ１１の接着面１１ａが付勢部材４０の弾性片４５の先端辺４５ａに当接する。そして、弾性片４５の先端辺４５ａが接着テープ１１で下方に押し下げられることで、弾性片４５がその弾性力に抗して撓む（変形する）。その後、図７に示すように、切断刃３１に押し当てられた接着テープ１１がその位置で切断される。これにより、所望の長さにカットされた接着テープ１３を得ることができる。その一方で、付勢部材４０の弾性片４５に接着テープ１１からかかっていた力が無くなることで、弾性片４５の弾性力で先端辺４５ａが上方の元の位置に復帰する。これにより、図８に示すように、切断された残りの接着テープ１１は、その先端部（切断部）１２が弾性片４５の弾性力で上方に押し上げられることで、当該先端部１２が切断刃３１から上方に離間した状態となる。
【００３０】
これにより、次回テープカッター１を使用する際に、接着テープ１１の先端部１２が切断刃３１から離れた状態になっている。したがって、接着テープ１１の先端部１２を指で摘んで引っ張ることが容易かつ確実に行えるようになる。これにより、テープ切断部２０の後側（テープ保持部５０に近い側）に延びる接着テープ１１の両側に該接着テープ１１の接着面１１ａ側に指を入れるためのスペースを確保していなくても、毎回の接着テープ１１の引き出しを容易かつ確実に行うことが可能となる。したがって、接着テープ１１の両側を塞ぐような形状の左右側板２，３であっても採用することが可能となるので、テープカッター１の形状に制限が無くなり、テープカッター１のデザインの自由度を飛躍的に高めることができる。すなわち、テープ保持部５０とテープ切断部２０との間の側板２，３の形状、さらにいえばテープ保持部５０とテープ切断部２０との間に渡された接着テープ１１の両側の形状をどのような形状にしても良いので、その部分の面積を広く確保することなどが行えるようになる。したがって、形状及び模様などのデザイン性の高いテープカッターを製作することが可能となる。
【００３１】
以上説明したように、本実施形態のテープカッター１によれば、接着テープ１１を巻回してなる巻テープ１０を回転自在に保持するテープ保持部５０と、テープ保持部５０に保持された巻テープ１０から剥離されて引き出された接着テープ１１を切断するテープ切断部２０とを備えるテープカッター１であって、テープ切断部２０は、押し当てられた接着テープ１１を切断する切断刃３１と、切断刃３１で切断された接着テープ１１が貼付される貼付部４１ａと、接着テープ１１の切断された先端部１２を切断刃３１から離間させる方に付勢する付勢部材４０とを備えている。
【００３２】
本実施形態のテープカッター１では、接着テープ１１の切断された先端部１２を切断刃３１から離間させる方に付勢する付勢部材４０を備えることで、切断された接着テープ１１の先端部１２が切断刃３１から離間した状態となる。これにより、次回接着テープ１１を使用する際に、切断刃３１から離間している接着テープ１１の先端部１２を指で摘んで引き出すことができる。したがって、従来のテープカッター１のように、接着テープ１１の側方（幅方向の一方）から接着面１１ａ側に指を入れて、接着テープ１１の接着面１１ａを持ち上げることで接着テープ１１を切断刃３１から剥がす動作を行う必要が無い。これにより、テープ保持部５０とテープ切断部２０との間に渡された接着テープ１１の側部に指を入れるための空きスペースを確保しておかなくても良くなる。したがって、テープカッター１の形状に制限が無くなることで、テープカッター１の外観デザインの自由度を効果的に高めることができる。
【００３３】
また、このテープカッター１では、上記のように接着テープ１１の先端部１２を指で摘んで引き出すことができるので、接着テープ１１の先端部（切断部）１２から離れた位置の接着面１１ａに指紋などの跡が付いてしまうことを防止でき、接着テープ１１を綺麗な状態で切断することが可能となる。したがって、透明な部分などに接着テープ１１を使用する場合でも、指紋などの跡が付いていない綺麗な接着テープ１１を使用することができるので、接着テープ１１を使用する箇所の見栄えを良くすることができる。
【００３４】
また、本実施形態のテープカッター１では、付勢部材４０は、弾性を有する合成樹脂製の弾性片４５からなる。この構成によれば、簡単かつ安価な構成で、接着テープ１１の切断された先端部１２を切断刃３１から離間させる方に付勢することが確実に行えるようになる。
【００３５】
また、本実施形態のテープカッター１では、弾性片４５は、貼付部４１ａと切断刃３１との間の位置で切断刃３１から離間する方に向かって湾曲する湾曲形状に形成されている。この構成によれば、接着テープ１１の切断された先端部１２を切断刃３１から離間させる方に付勢することがより確実に行えるようになる。
【００３６】
また、本実施形態のテープカッター１では、弾性片４５は、接着テープ１１が切断刃３１に当接した状態で貼付部４１ａと切断刃３１との間の接着テープ１１によって押されて弾性変形した状態となり、接着テープ１１が切断刃３１で切断された際にその弾性で元の形状に復帰することで、接着テープ１１の先端部１２を切断刃３１から離間させるように構成している。
【００３７】
この構成によれば、接着テープ１１を切断刃３１で切断する動作をするだけで、弾性片４５の弾性力を発揮させて切断された接着テープ１１の先端部１２を切断刃３１から離間させることが可能となる。したがって、毎回接着テープ１１を切断するたびに接着テープ１１の先端部１２を切断刃３１から離間させて、次回使用する際に接着テープ１１の先端部１２を指で摘むことができる状態にすることができる。
【００３８】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態に示すテープカッター１の具体的な形状等は一例であり、本発明にかかるテープカッターは、他の形状等にすることも可能である。すなわち、上記実施形態では、テープカッター１は、本体部分に左右一対の側板を備える構成としたが、本発明にかかるテープカッターは、巻テープを回転自在に保持するテープ保持部と、テープ保持部に保持された巻テープら剥離されて引き出された接着テープを切断するテープ切断部とを備えていれば、その本体部分の具体的な形状は、左右側板を備えたものには限定されず、他の形状であってもよい。
【００３９】
また、本実施形態では、テープ切断部２０の構成として、切断刃３１を有する切断具３０と、弾性片４５を有する付勢部材４０とを支持部２１に取り付けた構成を示したが、これらは互いに別部品とする以外にも、他の部品と一体に構成することも可能である。例えば、切断刃は、テープカッターの本体部分と一体に構成されていてもよい。また、付勢部材は、その弾性（可撓性）を確保するためには、テープカッターの本体部分とは材質を異ならせることが望ましいため、通常は本体部分とは別部品とすることが考えられるが、付勢部材及び弾性片の十分な弾性を確保することができるのであれば、これらをテープカッターの本体部分と一体に構成することも可能である。
【００４０】
また、付勢部材の具体的な形状等は上記実施形態に示すものは限らず、接着テープの切断された先端部を切断刃から離間させる方に付勢することができるものであれば、他の形状等であってもよい。
【００４１】
上記実施形態のテープカッター１が備えるテープ保持部５０の構成も一例であり、テープ保持部は、上記で示すような二本の軸部で構成する以外にも、巻テープを装填する回転リールを左右側板の間に軸支した構造などであってもよい。
【符号の説明】
【００４２】
１    テープカッター
２    左側板
２ａ    内面
３    右側板
３ａ    内面
４，５    軸部
４ａ，５ａ    小孔
６，７    小突起
１０    巻テープ（接着テープ本体）
１１    接着テープ
１１ａ    接着面
１２    先端部
１３    接着テープ
２０    テープ切断部
２１    支持部
２２    底片
２３    側片
２３ａ    上端部
２５，２６    小突起
３０    切断具
３１    切断刃
３２，３３    小孔
４０    付勢部材
４１    取付部
４１ａ    貼付部
４５    弾性片
４５ａ    先端辺
５０    テープ保持部
【図１】
2016034874.tif 000003
【図２】
2016034874.tif 000004
【図３】
2016034874.tif 000005
【図４】
2016034874.tif 000006
【図５】
2016034874.tif 000007
【図６】
2016034874.tif 000008
【図７】
2016034874.tif 000009
【図８】
2016034874.tif 000010